(57)【要約】【課題】本体の施工時のネジ止め時に本体が落下せずに、作業性を良化することができることを目的とする。【解決手段】躯体３の上方と下方の対角に２箇所ツメ１１構造を設け、その周囲にスリット１２を設け、躯体３を壁面内に備えられた金枠に押し込むことで施工されるという構成にしたことにより、ツメ１１の周りにスリット１２を備えることにより、外力によりツメ１１が躯体３内側へたわむ為、施工時は躯体３を押し込む際にツメ１１が一時的にたわむことで、躯体３が金枠に取り付けられ、また、外すときはツメ１１をおして金枠１３から取り外すことができ、さらに、躯体３を上下逆に取り付けても、ツメ１１及びスリット１２が同一配置となるので、本体の施工時のネジ止め時に本体が落下せずに、作業性を良化することができる換気装置を得られる。【選択図】図３
2013076503.tif 000002
【特許請求の範囲】
【請求項１】
家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記躯体側面静電霧化装置を備えた外装ケースを別パーツで設けた換気装置で、前記躯体の上方と下方の対角に２箇所ツメ構造を設け、その周囲にスリットを設け、前記躯体を前記壁面内に備えられた金枠に押し込むことで施工されることを特徴とする換気装置。
【請求項２】
躯体と金枠の間に、かん合時のクリアランスを設けたことを特徴とする請求項１に記載の換気装置。
【請求項３】
ツメの箇所のみ前記躯体正面に切り欠き形状を設けることを特徴とした請求項１または２に記載の換気装置。
【発明の詳細な説明】
【技術分野】
【０００１】
本発明は、床下から室内に空気を送り込む換気装置に関するものである。
【背景技術】
【０００２】
従来、この種の換気装置は、屋外の空気を送風機で吸い込み屋内へ吹き出すものが知られている（例えば、特許文献１参照）。
【先行技術文献】
【特許文献】
【０００３】
【特許文献１】特許第４４３２６３３号公報
【発明の概要】
【発明が解決しようとする課題】
【０００４】
このような従来の換気装置においては、本体の施工時のネジ止め時に本体が落下しやすく、作業性が悪い、という課題を有していた。
【０００５】
そこで本発明は、上記従来の課題を解決するものであり、本体の施工時のネジ止め時に本体が落下せずに、作業性を良化することができる換気装置を提供することを目的とする。
【課題を解決するための手段】
【０００６】
そして、この目的を達成するために、本発明は、家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記躯体側面静電霧化装置を備えた外装ケースを別パーツで設けた換気装置で、前記躯体の上方と下方の対角に２箇所ツメ構造を設け、その周囲にスリットを設け、前記躯体を前記壁面内に備えられた金枠に押し込むことで施工されることとしたものであり、これにより所期の目的を達成するものである。
【発明の効果】
【０００７】
本発明によれば、家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記躯体側面静電霧化装置を備えた外装ケースを別パーツで設けた換気装置で、前記躯体の上方と下方の対角に２箇所ツメ構造を設け、その周囲にスリットを設け、前記躯体を前記壁面内に備えられた金枠に押し込むことで施工されるという構成にしたことにより、ツメの周りにスリットを備えることにより、外力によりツメが躯体内側へたわむ為、施工時は躯体を押し込む際にツメが一時的にたわむことで、躯体が金枠に取り付けられ、また、外すときはツメをおして金枠から取り外すことができ、さらに、躯体を上下逆に取り付けても、ツメ及びスリットが同一配置とすることとなるので、本体の施工時のネジ止め時に本体が落下せずに、作業性を良化することができる、という効果を得ることができる。
【図面の簡単な説明】
【０００８】
【図１】本発明の実施の形態１の換気装置を示す斜視図
【図２】同換気装置の上方からの断面構成図
【図３】同換気装置の分解斜視図
【発明を実施するための形態】
【０００９】
本発明の請求項１記載の換気装置は、家屋の屋内壁面に設置する躯体に、空気を取り入れる開口部と、前記開口部から屋内までの送風路と、屋内に空気を送り出す貫流ファンと、前記貫流ファンを強制的に回転させる電動機と、前記送風路の前面に前記貫流ファンを前記電動機によって回転させることによって発生する風を室内に流入させるための給気口を設け、前記躯体側面静電霧化装置を備えた外装ケースを別パーツで設けた換気装置で、前記躯体の上方と下方の対角に２箇所ツメ構造を設け、その周囲にスリットを設け、前記躯体を前記壁面内に備えられた金枠に押し込むことで施工される、という構成を有する。これにより、ツメの周りにスリットを備えることにより、外力によりツメが躯体内側へたわむ為、施工時は躯体を押し込む際にツメが一時的にたわむことで、躯体が金枠に取り付けられ、また、外すときはツメをおして金枠から取り外すことができ、さらに、躯体を上下逆に取り付けても、ツメ及びスリットが同一配置となるので、本体の施工時のネジ止め時に本体が落下せずに、作業性を良化することができる、という効果を奏する。
【００１０】
また、躯体と前記金枠の間に、かん合時のクリアランスを設けた、という構成にしてもよい。これにより、躯体と壁面との間に手の指が入る程度空間を設けてことなるので、躯体を金枠へネジ止めする等の本固定作業忘れ防止になり、また、躯体を外すとき、クリアランス部分に指を入れることができツメが押しやすく、躯体を容易に外すことができる、という効果を奏する。
【００１１】
また、ツメの箇所のみ前記躯体正面に切り欠き形状を設ける、という構成にしてもよい。これにより、ツメの位置が正面から見ても即座に分かることとなるので、ツメの位置に迷うことなく取り付け、取り外しの作業を行うことができる、という効果を奏する。
【００１２】
以下、本発明の実施の形態について図面を参照しながら説明する。
【００１３】
（実施の形態１）
図１〜図３に示すように、家屋の屋内１壁面２に設置する躯体３に、空気を取り入れる開口部４と、開口部４から屋内１までの送風路５と、屋内１に空気を送り出す貫流ファン６と、貫流ファン６を強制的に回転させる電動機７と、送風路５の前面に貫流ファン６を電動機７によって回転させることによって発生する風を室内すなわち屋内１に流入させるための給気口８を設け、躯体３側面に静電霧化装置９を備えた外装ケース１０を別パーツで設けた換気装置で、躯体３の上方と下方の対角に２箇所ツメ１１構造を設け、その周囲にスリット１２を設け、躯体３を壁面２内に備えられた金枠１３に押し込むことで施工されるものである。
【００１４】
ツメ構造としては、躯体３等の重量を支える程度の強度があれば、どのような構造でも良い。
【００１５】
また、ツメ１１構造の突起の高さは、金枠１３の躯体３挿入部の開口幅より高く、指一本で押したとき、簡単に金枠１３の躯体３挿入部の開口幅より狭く変形する構造である。
【００１６】
このような構成にすることで、ツメの周りにスリットを備えることにより、外力によりツメが躯体内側へたわむ為、施工時は躯体を押し込む際にツメが一時的にたわむことで、躯体が金枠に取り付けられ、また、外すときはツメをおして金枠から取り外すことができ、さらに、躯体を上下逆に取り付けても、ツメ及びスリットが同一配置となる。
【００１７】
よって、本体の施工時のネジ止め時に本体が落下せずに、作業性を良化することができる、という効果を得ることができる。
【００１８】
そして、躯体３と前記金枠１３の間に、かん合時のクリアランス１４を設けたものである。
【００１９】
このような構成にすることで、躯体と壁面との間に手の指が入る程度空間を設けることなる。
【００２０】
よって、躯体を金枠へネジ止めする等の本固定作業忘れ防止になり、また、躯体を外すとき、前記空間に指を入れることができツメが押しやすく、躯体を容易に外すことができる、という効果を得ることができる。
【００２１】
また、ツメ１１の箇所のみ躯体３正面に切り欠き形状１８を設けるものである。
【００２２】
このような構成にすることで、ツメの位置が正面から見ても即座に分かるとともに、指が入れやすくなることとなる。
【００２３】
よって、ツメの位置に迷うことなく取り付け、取り外しの作業を行うことができる、という効果を得ることができる。
【産業上の利用可能性】
【００２４】
本発明にかかる換気装置は、本体の施工時のネジ止め時に本体が落下せずに、作業性を良化することができるもので、リビング等の居室等に使用される室内に空気を送り込む換気装置等として有用である。
【符号の説明】
【００２５】
１    屋内
２    壁面
３    躯体
４    開口部
５    送風路
６    貫流ファン
７    電動機
８    給気口
９    静電霧化装置
１０  外装ケース
１１  ツメ
１２  スリット
１３  金枠
１４  クリアランス
【図１】
2013076503.tif 000003
【図２】
2013076503.tif 000004
【図３】
2013076503.tif 000005